(57)【要約】【課題】ユーザが、出力に関する情報を、送信を行うユーザの労力をかけずに、迅速かつ容易に得られるようにする。【解決手段】ネットワークを介して複数の画像入出力装置と接続された画像入出力装置において、読み取った画像データ、もしくは画像入出力装置内に保存されている画像データを、出力を行う画像入出力装置が処理可能な印刷設定を反映させたフォーマットに変換し、前記画像入出力装置へ送信すると同時に、前記画像入出力装置に送信した情報を指定したユーザのメイルアドレスに送信する。【選択図】  図１
2006197474.tif 000002
【特許請求の範囲】
【請求項１】
画像形成に関わる複数の機能を有する画像入出力装置において、各画像形成機能を設定するための表示装置と少なくとも一つ以上の押下型入力装置を用いた対話型の操作設定手段と、ネットワークを介して複数の画像入出力装置に画像出力するリモート画像出力手段と、前記画像入出力装置で読み取った画像データ、もしくは前記画像入出力装置内に保存されている画像データを出力を行う前記画像入出力装置が処理できるフォーマットに変換する手段と、変換後の画像データを実際に前記画像入出力装置へ送信する手段と、前記画像入出力装置に送信した情報を、指定したユーザのメイルアドレスに送信する手段を備えることを特徴とする画像入出力装置。
【請求項２】
請求項１の画像入出力装置の構成に加え、読み取った画像データ、もしくは画像入出力装置内に保存されている画像データを出力を行う画像入出力装置が処理できるフォーマットに変換する手段と、変換後の画像データを実際に前記画像入出力装置に送信する手段と、指定したユーザのメイルアドレスに前記画像データを送信する手段と、前記画像入出力装置へ送信した情報を指定したユーザのメイルアドレスに送信する手段を備えることを特徴とする画像入出力装置。
【請求項３】
請求項２の画像入出力装置の構成に加え、読み取った画像データ、もしくは画像入出力装置内に保存されている画像データを、指定した画像入出力装置に加え、指定したユーザのメイルアドレスに送信するか否かを自由に設定できる手段を備えることを特徴とする画像入出力装置。
【請求項４】
請求項３の画像入出力装置の構成に加え、読み取った画像データ、もしくは画像入出力装置内に保存されている画像データを指定した画像入出力装置に送信する際、印刷設定の選択を可能にする手段と、その印刷設定を反映させた指定の画像入出力装置が処理できるフォーマットに変換して送信する手段と、前記画像入出力装置へ送信した情報を指定したユーザのメイルアドレスに送信する手段を備えることを特徴とする画像入出力装置。
【請求項５】
請求項４の画像入出力装置の構成において、送信先のユーザのメイルアドレスと出力を行う画像入出力装置とその印刷設定をリンクした情報を予め登録しておく手段と、その情報に基づき、読み取った画像データ、もしくは画像入出力装置内に保存されている画像データの送信先、及びそのフォーマットを決定する手段と、それに応じて、画像入出力装置に送信する場合は、前記印刷設定を反映させた指定の画像入出力装置が処理できるフォーマットに変換する手段と、変換後の画像データを実際に指定の画像入出力装置に送信する手段と、前記画像入出力装置へ送信した情報を前記ユーザのメイルアドレスに送信する手段と、ユーザに送信する場合は、画像データを的確なフォーマットに変換する手段と、変換後の画像データを実際にユーザのメイルアドレスに送信する手段を備えることを特徴とする画像入出力装置。
【発明の詳細な説明】
【技術分野】
【０００１】
本発明は、画像形成に関わる複数の機能を有する画像入出力装置と同じ機能を有する複数の画像入出力装置がネットワークを介して接続された画像形成システムの機器制御方法に係る画像入出力装置に関するものである。
【背景技術】
【０００２】
従来、画像形成に関わる複数の機能を有する画像入出力装置においては、読み取った画像データ、もしくは画像入出力装置内に保存されている画像データを、ネットワークを介して指定したユーザのメイルアドレス、あるいは画像入出力装置に送信する方法がとられていた（例えば、特許文献１参照。）。
【特許文献１】特開平９−２０５５１３号公報
【発明の開示】
【発明が解決しようとする課題】
【０００３】
しかしながら、ユーザのメイルアドレス宛てに送信された前記画像データを受け取ったユーザは、前記画像データを印刷する必要が生じた場合、それを所定のアプリケーションで読み込み、所定の画像入出力装置へ送信する手間がかかるという課題がある。また、仮に画像入出力装置を宛て先として前記画像データを直接送信する場合でも、細かい印刷設定は行えない、印刷設定に時間を要する、さらには、送信元のユーザが意図的に送信しない限り、前記画像データを受信したユーザが、出力先、時刻といった出力情報を前記画像データの出力結果と同時に得ることができないという課題がある。
【０００４】
そこで、本発明は、上記課題を解決するために、ネットワークを介して複数の画像入出力装置と接続された画像入出力装置において、読み取った画像データ、もしくは画像入出力装置内に保存されている画像データを、出力を行う画像入出力装置が処理可能な印刷設定を反映させたフォーマットに変換し、前記画像入出力装置へ送信すると同時に、前記画像入出力装置に送信した情報を指定したユーザのメイルアドレスに送信することにより、ユーザが、意図する印刷設定に基づく前記画像データの出力結果と、出力データ名、出力先、出力時刻といった出力に関する情報を、送信を行うユーザの労力をかけずに、迅速かつ容易に得られるようにすることを目的とする。
【課題を解決するための手段】
【０００５】
上記目的を達成する本出願に係る第１の発明の画像形成に関わる複数の機能を有する画像入出力装置において、各画像形成機能を設定するための表示装置と少なくとも一つ以上の押下型入力装置を用いた対話型の操作設定手段と、ネットワークを介して複数の画像入出力装置に画像出力するリモート画像出力手段と、前記画像入出力装置で読み取った画像データ、もしくは前記画像入出力装置内に保存されている画像データを出力を行う前記画像入出力装置が処理できるフォーマットに変換する手段と、変換後の画像データを実際に前記画像入出力装置へ送信する手段と、前記画像入出力装置に送信した情報を、指定したユーザのメイルアドレスに送信する手段を備える。
【０００６】
また、上記目的を達成する本出願に係る第２の発明の画像入出力装置は以下に示す構成を備える。即ち、前記第１の発明の画像入出力装置の構成に加え、読み取った画像データ、もしくは画像入出力装置内に保存されている画像データを出力を行う画像入出力装置が処理できるフォーマットに変換する手段と、変換後の画像データを実際に前記画像入出力装置に送信する手段と、指定したユーザのメイルアドレスに前記画像データを送信する手段と、前記画像入出力装置へ送信した情報を指定したユーザのメイルアドレスに送信する手段を備える。
【０００７】
また、上記目的を達成する本出願に係る第３の発明の画像入出力装置は以下に示す構成を備える。即ち、前記第２の発明の画像入出力装置の構成に加え、読み取った画像データ、もしくは画像入出力装置内に保存されている画像データを、指定した画像入出力装置に加え、指定したユーザのメイルアドレスに送信するか否かを自由に設定できる手段を備える。
【０００８】
また、上記目的を達成する本出願に係る第４の発明の画像入出力装置は以下に示す構成を備える。即ち、前記第３の発明の画像入出力装置の構成に加え、読み取った画像データ、もしくは画像入出力装置内に保存されている画像データを指定した画像入出力装置に送信する際、印刷設定の選択を可能にする手段と、その印刷設定を反映させた指定の画像入出力装置が処理できるフォーマットに変換して送信する手段と、前記画像入出力装置へ送信した情報を指定したユーザのメイルアドレスに送信する手段を備える。
【０００９】
また、上記目的を達成する本出願に係る第５の発明の画像入出力装置は以下に示す構成を備える。即ち、前記第４の発明の画像入出力装置の構成において、送信先のユーザのメイルアドレスと出力を行う画像入出力装置とその印刷設定をリンクした情報を予め登録しておく手段と、その情報に基づき、読み取った画像データ、もしくは画像入出力装置内に保存されている画像データの送信先、及びそのフォーマットを決定する手段と、それに応じて、画像入出力装置に送信する場合は、前記印刷設定を反映させた指定の画像入出力装置が処理できるフォーマットに変換する手段と、変換後の画像データを実際に指定の画像入出力装置に送信する手段と、前記画像入出力装置へ送信した情報を前記ユーザのメイルアドレスに送信する手段と、ユーザに送信する場合は、画像データを的確なフォーマットに変換する手段と、変換後の画像データを実際にユーザのメイルアドレスに送信する手段を備える。
【００１０】
本出願に係る第１から第５の発明のかかる構成において、ネットワークを介して複数の画像入出力装置と接続された画像入出力装置において、読み取った画像データ、もしくは画像入出力装置内に保存されている画像データを、出力を行う画像入出力装置が処理可能な印刷設定を反映させたフォーマットに変換し、前記画像入出力装置へ送信すると同時に、前記画像入出力装置に送信した情報を指定したユーザのメイルアドレスに送信することにより、ユーザが、意図する印刷設定に基づく前記画像データの出力結果と、出力データ名、出力先、出力時刻といった出力に関する情報を、送信を行うユーザの労力をかけずに、迅速かつ容易に得ることができる。
【発明の効果】
【００１１】
以上述べたように、本出願に係る第１から第５の発明により、ネットワークを介して複数の画像入出力装置と接続された画像入出力装置において、読み取った画像データ、もしくは画像入出力装置内に保存されている画像データを、出力を行う画像入出力装置が処理可能な印刷設定を反映させたフォーマットに変換し、前記画像入出力装置へ送信すると同時に、前記画像入出力装置に送信した情報を指定したユーザのメイルアドレスに送信することにより、ユーザが、意図する印刷設定に基づく前記画像データの出力結果と、出力データ名、出力先、出力時刻といった出力に関する情報を、送信を行うユーザの労力をかけずに、迅速かつ容易に得ることができるという効果がある。
【発明を実施するための最良の形態】
【００１２】
発明を実施するための最良の形態を図面を参照しつつ説明する。
【実施例１】
【００１３】
以下、本発明にかかる実施形態について図面を参照して詳細に説明を行う。
【００１４】
図１は、本発明の実施例を示す画像入出力装置システムの全体の構成を説明するブロック図である。本画像入出力装置２００は、画像入力デバイスであるスキャナ部２０７０、画像出力デバイスであるプリンタ部２０９５、Ｃｏｎｔｒｏｌｌｅｒ  Ｕｎｉｔ２０００、ユーザインターフェースである操作部２０１２から構成される。スキャナ部２０７０、プリンタ部２０９５、操作部２０１２は、それぞれＣｏｎｔｒｏｌｌｅｒ  Ｕｎｉｔ２０００に接続され、Ｃｏｎｔｒｏｌｌｅｒ  Ｕｎｉｔ２０００は、ＬＡＮ２０１１などのネットワーク伝送手段に接続されている。また、ＬＡＮ２０１１には、画像入出力装置２００と同様の機器構成をもつ他の画像入出力装置２２０、２３０、ならびにＰＣ３００、３１０が接続されている。画像入出力装置２２０、２３０は、それぞれスキャナ部２２７０、２３７０、プリンタ部２２９５、２３９５、操作部２２１２、２３１２を持ち、それらがＣｏｎｔｒｏｌｌｅｒ  Ｕｎｉｔ２２００、２３００に接続されている。
【００１５】
図２は、本発明の実施例を示す画像入出力装置の構成を説明するブロック図である。Ｃｏｎｔｒｏｌｌｅｒ  Ｕｎｉｔ２０００は画像入力デバイスであるスキャナ２０７０や画像出力デバイスであるプリンタ２０９５と接続し、一方ではＬＡＮ２０１１や公衆回線（ＷＡＮ）２０５１接続することで、画像情報やデバイス情報の入出力を行う為のコントローラである。ＣＰＵ２００１はシステム全体を制御するコントローラである。ＲＡＭ２００２はＣＰＵ２００２が動作するためのシステムワークメモリであり、画像データを一時記憶するための画像メモリでもある。ＲＯＭ２００３はブートＲＯＭであり、システムのブートプログラムが格納されている。
【００１６】
ＨＤＤ２００４はハードディスクドライブで、システムソフトウェア、画像データを格納する。操作部Ｉ／Ｆ２００６は操作部（ＵＩ）２０１２とのインターフェース部で、操作部２０１２に表示する画像データを操作部２０１２に対して出力する。また、操作部２０１２から本システム使用者が入力した情報を、ＣＰＵ２００１に伝える役割をする。Ｎｅｔｗｏｒｋ２０１０はＬＡＮ２０１１に接続し、情報の入出力を行う。Ｍｏｄｅｍ２０５０は公衆回線２０５１に接続し、情報の入出力を行う。以上のデバイスがシステムバス２００７上に配置される。Ｉｍａｇｅ  Ｂｕｓ  Ｉ／Ｆ２００５はシステムバス２００７と画像データを高速で転送する画像バス２００８を接続し、データ構造を変換するバスブリッジである。
【００１７】
画像バス２００８は、ＰＣＩバスまたはＩＥＥＥ１３９４で構成される。画像バス２００８上には以下のデバイスが配置される。ラスターイメージプロセッサ（ＲＩＰ）２０６０はＰＤＬコードをビットマップイメージに展開する。デバイスＩ／Ｆ部２０２０は、画像入出力デバイスであるスキャナ２０７０やプリンタ２０９５とコントローラ２０００を接続し、画像データの同期系／非同期系の変換を行う。スキャナ画像処理部２０８０は、入力画像データに対し補正、加工、編集を行う。プリンタ画像処理部は、プリント出力画像データに対して、プリンタの補正、解像度変換等を行う。画像回転部２０３０は画像データの回転を行う。画像圧縮部２０４０は、多値画像データはＪＰＥＧ、２値画像画像データはＪＢＩＧ、ＭＭＲ、ＭＨの圧縮伸張処理を行う。
【００１８】
画像入出力デバイスを図３に示す。画像入力デバイスであるスキャナ部２０７０は、原稿となる紙上の画像を照明し、ＣＣＤラインセンサ（図示せず）を走査することで、ラスターイメージデータ２０７１として電気信号に変換する。原稿用紙は原稿フィーダ２０７２のトレイ２０７３にセットし、装置使用者が操作部２０１２から読み取り起動指示することにより、コントローラＣＰＵ２００１がスキャナ２０７０に指示を与え（２０７１）、フィーダ２０７２は原稿用紙を１枚ずつフィードし原稿画像の読み取り動作を行う。画像出力デバイスであるプリンタ部２０９５は、ラスターイメージデータ２０９６を用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。
【００１９】
プリント動作の起動は、コントローラＣＰＵ２００１からの指示２０９６によって開始する。プリンタ部２０９５には、異なる用紙サイズまたは異なる用紙向きを選択できるように複数の給紙段を持ち、それに対応した用紙カセット２１０１、２１０２、２１０３、２１０４がある。また、排紙トレイ２１１１は印字し終わった用紙を受けるものである。
【００２０】
操作部２０１２の構成を図４に示す。ＬＣＤ表示部２０１３は、ＬＣＤ上にタッチパネルシート２０１９が貼られており、システムの操作画面およびソフトキーを表示するとともに、表示してあるキーが押されるとその位置情報をコントローラＣＰＵ２００１に伝える。スタートキー２０１４は原稿画像の読み取り動作を開始する時などに用いる。スタートキー２０１４中央部には、緑と赤の２色ＬＥＤ２０１８があり、その色によってスタートキー２０１４が使える状態にあるかどうかを示す。ストップキー２０１５は稼働中の動作を止める働きをする。ＩＤキー２０１６は、使用者のユーザＩＤを入力する時に用いる。リセットキー２０１７は操作部からの設定を初期化する時に用いる。
【００２１】
続いて本発明の実施例１を図５、図６を用いて説明する。本実施例１では、読み取った画像データ、もしくは画像入出力装置２００内に保存されている画像データを出力する画像入出力装置２２０（ｏｒ  ２３０）が処理できるフォーマットに変換し、それを実際に前記画像入出力装置２２０へ送信すると同時に、前記画像入出力装置２２０に送信した情報を指定したユーザのメイルアドレスＰＣ３００（ｏｒ  ３１０）に送信するものである。
【００２２】
図５に、本実施例１を実現する画像入出力装置２００の操作部２０１２の一例を示す。このような操作部２０１２のユーザインターフェースを使用して、画像データを指定の画像入出力装置２２０に送信した情報を指定したユーザのメイルアドレスＰＣ３００に送信して通知する。
【００２３】
次に、図６を用いて本実施例１の画像入出力装置に関するデータ処理手順を説明する。図中の（１）〜（８）は各ステップを示す。まず、ステップ（１）で、操作部２０１２のＬＣＤ表示部２０１３において、送信メニューが選択されたか否かにより、Ｙｅｓの場合は、ステップ（２）において、画像データが指定ｏｒセットされたか否かにより、Ｙｅｓの場合は、ステップ（３）へ進み、画像データの出力先（宛て先）２２０、及び、画像データの出力に関する情報（画像データの名前や属性、どの画像入出力装置２２０に出力を行ったかを示す出力先の情報や出力を行った時刻などの情報）の通知先は指定されたか否かにより、Ｙｅｓの場合は、ステップ（４）で、画像データを前記指定された出力先２２０に送るためのフォーマット変換は可能か否かを判断して、Ｙｅｓの場合は、ステップ（５）へ進み、画像データのフォーマット変換を行い、ステップ（６）へ進み、Ｎｏの場合は、ステップ（８）へ進み、フォーマットの変換ができないので、他の画像入出力装置２２０を選択してほしい旨の警告メッセージを表示して本処理を終了する。
【００２４】
ステップ（６）へ進んだ場合は、前記指定された出力先２２０に前記変換後の画像データを送信した後、ステップ（７）にて、ステップ（３）で指定されたユーザのメイルアドレスＰＣ３００に前記画像データの出力に関する情報を送信して本処理を終了する。
【実施例２】
【００２５】
次に、本発明の第２実施例について図７、図８を用いて説明する。
【００２６】
本実施例では、前記実施例１の画像入出力装置２００の構成に加え、読み取った画像データ、もしくは画像入出力装置２００内に保存されている画像データを出力する画像入出力装置２２０が処理できるフォーマットに変換し、それを実際に前記画像入出力装置２２０へ送信すると同時に、前記画像入出力装置２２０に送信した出力情報に前記画像データを添付して指定したユーザのメイルアドレスＰＣ３００に送信ものである。図７に、本実施例２を実現する画像入出力装置２００の操作部２０１２の一例を示す。次に、図８を用いて本実施例２の画像入出力装置２００に関するデータ処理手順を説明する。図中の（１）〜（１０）は各ステップを示す。
【００２７】
まず、ステップ（１）で、操作部２０１２のＬＣＤ表示部２０１３において、送信メニューが選択されたか否かにより、Ｙｅｓの場合は、ステップ（２）において、画像データが指定ｏｒセットされたか否かにより、Ｙｅｓの場合は、ステップ（３）へ進み、画像データの出力先（宛て先）２２０、及び、画像データの出力に関する情報（画像データの名前や属性、どの画像入出力装置２２０に出力を行ったかを示す出力先の情報や出力を行った時刻などの情報）の通知先は指定されたか否かにより、Ｙｅｓの場合は、ステップ（４）において、画像データを前記指定された出力先２２０に送るためのフォーマット変換は可能か否かを判断して、Ｙｅｓの場合は、ステップ（５）へ進み、画像データのフォーマット変換を行い、ステップ（６）へ進み、Ｎｏの場合は、ステップ（９）へ進む。
【００２８】
ステップ（９）では、フォーマットの変換ができないので、他の画像入出力装置２２０を選択してほしい旨の警告メッセージを表示して、ステップ（１０）にて、ユーザのメイルアドレスＰＣ３００に前記画像データを送信して本処理を終了する。ステップ（６）へ進んだ場合は、前記指定された出力先２２０に前記変換後の画像データを送信した後、ステップ（７）にて、前記画像データの出力に関する情報に前記画像データを添付した送信データ（メイル）を作成する。次に、ステップ（８）にて、ステップ（３）で指定されたユーザのメイルアドレスＰＣ３００に前記ステップ（７）で作成された送信データを送り本処理を終了する。
【実施例３】
【００２９】
次に、本発明の第３実施例について図９、図１０を用いて説明する。
【００３０】
本実施例では、前記実施例２の画像入出力装置２００の構成に加え、読み取った画像データ、もしくは画像入出力装置２００内に保存されている画像データを指定した画像入出力装置２２０に加え、指定したユーザのメイルアドレスＰＣ３００に送信するか否かを自由に設定できるものである。
【００３１】
図９に、本実施例３を実現する画像入出力装置２００の操作部２０１２に表示される確認メッセージの一例を示す。出力情報の通知先を選択すると、操作部２０１２のＬＣＤ表示部２０１３に表示される“出力情報の通知先に画像データも送信する”に関する設定を選択しない場合は、このような確認メッセージが表示され、通知先ごとに画像データを送信するか否かを設定することができる。続いて図１０を用いて本実施例３の画像入出力装置２００に関するデータ処理手順を説明する。図中の（１）〜（１３）は各ステップを示す。
【００３２】
まず、ステップ（１）で、操作部２０１２のＬＣＤ表示部２０１３において、送信メニューが選択されたか否かにより、Ｙｅｓの場合は、ステップ（２）において、画像データが指定ｏｒセットされたか否かにより、Ｙｅｓの場合は、ステップ（３）へ進み、画像データの出力先（宛て先）２２０、及び、画像データの出力に関する情報（画像データの名前や属性、どの画像入出力装置２２０に出力を行ったかを示す出力先の情報や出力を行った時刻などの情報）の通知先は指定されたか否かにより、Ｙｅｓの場合は、ステップ（４）において、画像データを前記指定された出力先２２０に送るためのフォーマット変換は可能か否かを判断して、Ｙｅｓの場合は、ステップ（５）へ進み、画像データのフォーマット変換を行い、ステップ（６）へ進み、Ｎｏの場合は、ステップ（１１）へ進む。ステップ（１１）では、フォーマットの変換ができないので、他の画像入出力装置２２０を選択してほしい旨の警告メッセージを表示して、ステップ（１２）にて、操作部２０１２のＬＣＤ表示部２０１３に表示される“出力情報の通知先に画像データも送信する”が選択されたか否かを判断する。
【００３３】
Ｙｅｓの場合は、ステップ（１３）において、ユーザのメイルアドレスＰＣ３００に前記画像データを送信して本処理を終了し、Ｎｏの場合はそのまま本処理を終了する。ステップ（６）へ進んだ場合は、前記指定された出力先２２０に前記変換後の画像データを送信した後、ステップ（７）にて、“出力情報の通知先に画像データも送信する”が選択されたか否かにより、Ｙｅｓの場合は、ステップ（８）において、前記画像データの出力に関する情報に前記画像データを添付した送信データを作成する。
【００３４】
次に、ステップ（９）にて、ステップ（３）で指定されたユーザのメイルアドレスＰＣ３００に前記作成された送信データを送って本処理を終了する。また、ステップ（７）でＮｏの場合は、ステップ（１０）において、ユーザのメイルアドレスＰＣ３００に前記画像データの出力に関する情報を送信して本処理を終了する。
【実施例４】
【００３５】
次に、本発明の第４実施例について説明する。
【００３６】
本実施例では、前記実施例３の画像入出力装置２００の構成に加え、読み取った画像データ、もしくは画像入出力装置２００内に保存されている画像データを指定した画像入出力装置２２０に送信する際、印刷設定の選択を可能にして、その印刷設定を反映させた出力フォーマットに変換して送信できるものである。
【００３７】
本発明の第４実施例を図１１、図１２を用いて説明する。図１１に、本実施例４を実現する画像入出力装置２００の操作部２０１２の一例を示す。次に、図１２を用いて画像入出力装置２００に関するデータ処理手順を説明する。図中の（１）〜（１５）は各ステップを示す。
【００３８】
まず、ステップ（１）で、操作部２０１２のＬＣＤ表示部２０１３において、送信メニューが選択されたか否かにより、Ｙｅｓの場合は、ステップ（２）において、画像データが指定ｏｒセットされたか否かにより、Ｙｅｓの場合は、ステップ（３）へ進み、画像データの出力先（宛て先）２２０、及び、画像データの出力に関する情報（画像データの名前や属性、どの画像入出力装置２２０に出力を行ったかを示す出力先の情報や出力を行った時刻などの情報）の通知先は指定されたか否かを判断する。
【００３９】
Ｙｅｓの場合は、ステップ（４）で、印刷設定を行うか否かにより、Ｙｅｓの場合は、ステップ（１２）へ進み、Ｎｏの場合は、ステップ（５）へ進む。ステップ（１２）では、印刷設定が終了したか否かにより、Ｙｅｓの場合はステップ（５）へ進む。ステップ（５）へ進んだ場合は、画像データを前記指定された出力先２２０に送るためのフォーマット変換は可能か否かを判断して、Ｙｅｓの場合は、ステップ（６）へ進み、画像データのフォーマット変換を行い、ステップ（７）へ進み、Ｎｏの場合は、ステップ（１３）へ進む。
【００４０】
ステップ（１３）へ進んだ場合は、フォーマットの変換ができないので、他の画像入出力装置２２０を選択してほしい旨の警告メッセージを表示して、ステップ（１４）にて、操作部２０１２のＬＣＤ表示部２０１３に表示される“出力情報の通知先に画像データも送信する”が選択されたか否かを判断する。
【００４１】
Ｙｅｓの場合は、ステップ（１５）において、ユーザのメイルアドレスＰＣ３００に前記画像データを送信して本処理を終了し、Ｎｏの場合はそのまま本処理を終了する。ステップ（７）へ進んだ場合は、前記指定された出力先２２０に前記変換後の画像データを送信した後、ステップ（８）にて、操作部２０１２のＬＣＤ表示部２０１３に表示される“出力情報の通知先に画像データも送信する”が選択されたか否かにより、Ｙｅｓの場合は、ステップ（９）において、前記画像データの出力に関する情報に前記画像データを添付した送信データを作成する。
【００４２】
次に、ステップ（１０）において、ステップ（３）で指定されたユーザのメイルアドレスＰＣ３００に前記作成された送信データを送って本処理を終了する。また、ステップ（８）でＮｏの場合は、ステップ（１１）において、ユーザのメイルアドレスＰＣ３００に前記画像データの出力に関する情報を送信して本処理を終了する。
【実施例５】
【００４３】
次に、本発明の第５実施例について説明する。
【００４４】
本実施例では、前記実施例４の画像入出力装置２００の構成において、送信先のユーザのアドレスＰＣ３００と出力を行う画像入出力装置２２０とその印刷設定をリンクした（関連付けた）情報を予め登録しておき、その情報に基づき、読み取った画像データ、もしくは画像入出力装置２００内に保存されている画像データの送信先、及びそのフォーマットを決定し、それに応じて、画像入出力装置２２０、さらにはユーザのメイルアドレスＰＣ３００に的確なフォーマットの画像データ送信するものである。
【００４５】
これにより、送信先のユーザのアドレスＰＣ３００のみを選択するだけで、読み取った画像データ、もしくは画像入出力装置２００内に保存されている画像データを的確なフォーマットに変換して所定の送信先に自動で送信することが可能になる。
【００４６】
以下に、本発明の第５実施例を図１３、図１４を用いて説明する。図１３に、本実施例５を実現する画像入出力装置２００の操作部２０１２の一例を示す。続いて図１４を用いて画像入出力装置２００に間するデータ処理手順を説明する。図中の（１）〜（２２）は各ステップを示す。まず、ステップ（１）で、操作部２０１２のＬＣＤ表示部２０１３において、送信メニューが選択されたか否かにより、Ｙｅｓの場合は、ステップ（２）において、画像データが指定ｏｒセットされたか否かにより、Ｙｅｓの場合は、ステップ（３）へ進み、画像データの出力先（宛て先）が指定されたか否かを判断する。
【００４７】
Ｙｅｓの場合は、ステップ（４）において、画像データの出力先がユーザか否かにより、Ｙｅｓの場合は、ステップ（１４）へ進み、宛て先の設定は終了したか否かにより、Ｙｅｓの場合は、ステップ（１５）において、詳細設定を行うか否かにより、Ｙｅｓの場合には、ステップ（１６）へ進み、詳細設定が終了したか否かにより、Ｙｅｓの場合は、ステップ（７）へ進む。
【００４８】
また、ステップ（１５）でＮｏの場合も（詳細設定を行わない場合も）、ステップ（７）へ進む。ステップ（４）でＮｏの場合は、ステップ（５）へ進み、画像データの出力に関する情報（画像データの名前や属性、どの画像入出力装置２２０に出力を行ったかを示す出力先の情報や出力を行った時刻などの情報）の通知先は指定されたか否かを判断する。
【００４９】
Ｙｅｓの場合は、ステップ（６）で、印刷設定を行うか否かにより、Ｙｅｓの場合は、ステップ（１８）へ進み、Ｎｏの場合は、ステップ（７）へ進む。ステップ（１８）では、印刷設定が終了したか否かにより、Ｙｅｓの場合はステップ（７）へ進む。ステップ（７）へ進んだ場合は、画像データを前記指定された出力先２２０に送るためのフォーマット変換は可能か否かを判断して、Ｙｅｓの場合は、ステップ（８）へ進み、画像データのフォーマット変換を行い、ステップ（９）へ進み、Ｎｏの場合は、ステップ（１９）へ進む。ステップ（１９）へ進んだ場合は、フォーマットの変換ができないので、他の画像入出力装置２２０を選択してほしい旨の警告メッセージを表示して、ステップ（２０）にて、出力情報の通知先  ｏｒ  宛て先に画像データも送信するが選択されたか否かを判断する。
【００５０】
Ｙｅｓの場合は、ステップ（２１）において、画像データをユーザ送信用に的確なフォーマットに変換した後、ステップ（２２）において、ユーザのメイルアドレスＰＣ３００に前記画変換後の画像データを送信して本処理を終了し、ステップ（２０）でＮｏの場合はそのまま本処理を終了する。ステップ（９）へ進んだ場合は、前記指定された出力先２２０に前記変換後の画像データを送信した後、ステップ（１０）にて、出力情報の通知先  ｏｒ  宛て先に画像データも送信するが選択されたか否かにより、Ｙｅｓの場合は、ステップ（１１）において、画像データをユーザ送信用に的確なフォーマットに変換してステップ（１２）へ進む。
【００５１】
Ｎｏの場合は、ステップ（１７）において、ユーザのメイルアドレスＰＣ３００に前記画像データの出力に関する情報を送信して本処理を終了する。また、ステップ（１２）へ進んだ場合は、前記画像データの出力に関する情報に前記画像データを添付して送信データを作成した後、ステップ（１３）にて、前記ステップ（５）で指定されたユーザのメイルアドレスＰＣ３００に前記作成された送信データを送って本処理を終了する。
【００５２】
本発明は、前述した実施形態の機能を実現するソフトウェアのプログラムコードを記録した記憶能体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることはいうまでもない。
【００５３】
この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼動しているオペレーティングシステム（ＯＳ）などが実施の処理の一部または全部を行い、その処理によって前述した実施形態の機能が実現される場合も含まれることはいうまでもない。
【００５４】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることはいうまでもない。
【図面の簡単な説明】
【００５５】
【図１】画像入出力システムの全体構成を示す図である。
【図２】画像入出力装置の全体構成を示す図である。
【図３】画像入出力装置の外観図である。
【図４】画像入出力装置の操作部外観図である。
【図５】実施例１における画像入出力装置の操作部の画面表示例を示す図である。
【図６】実施例１における画像入出力装置のデータ処理手順を示すフローチャートである。
【図７】実施例２における画像入出力装置の操作部の画面表示例を示す図である。
【図８】実施例２における画像入出力装置のデータ処理手順を示すフローチャートである。
【図９】実施例３における画像入出力装置の操作部画面で表示される確認メッセージの一例を示す図である。
【図１０】実施例３における画像入出力装置のデータ処理手順を示すフローチャートである。
【図１１】実施例４における画像入出力装置の操作部の画面表示例を示す図である。
【図１２】実施例４における画像入出力装置のデータ処理手順を示すフローチャートである。
【図１３】実施例５における画像入出力装置の操作部の画面表示例を示す図である。
【図１４】実施例５における画像入出力装置のデータ処理手順を示すフローチャートである。
【符号の説明】
【００５６】
２００  画像入出力装置
２２０  画像入出力装置
２３０  画像入出力装置
３００  ＰＣ
３１０  ＰＣ
２０００  コントローラユニット
２００１  ＣＰＵ
２００２  ＲＡＭ
２００３  ＲＯＭ
２００４  ＨＤＤ
２００５  Ｉｍａｇｅ  Ｂｕｓ  Ｉ／Ｆ
２００６  操作部Ｉ／Ｆ
２００７  システムバス
２００８  画像バス
２０１０  Ｎｅｔｗｏｒｋ
２０１１  ＬＡＮ
２０１２  操作部
２０１３  ＬＣＤ表示部
２０１４  スタートキー
２０１５  ストップキー
２０１６  ＩＤキー
２０１７  リセットキー
２０１８  ２色ＬＥＤ
２０１９  タッチパネルシート
２０２０  デバイスＩ／Ｆ
２０３０  画像回転
２０４０  画像圧縮
２０５０  ＭＯＤＥＭ
２０５１  ＷＡＮ
２０６０  ＲＩＰ
２０７０  スキャナ
２０７１  ラスターイメージデータ
２０７２  原稿フィーダ
２０７３  トレイ
２０８０  スキャナ画像処理
２０９０  プリンタ画像処理
２０９５  プリンタ
２０９６  ラスターイメージデータ
２１０１  用紙カセット
２１０２  用紙カセット
２１０３  用紙カセット
２１１１  排紙トレイ
２２００  コントローラユニット
２２１２  操作部
２２７０  スキャナ
２２９５  プリンタ
２３００  コントローラユニット
２３１２  操作部
２３７０  スキャナ
２３９５  プリンタ
【図１】
2006197474.tif 000003
【図２】
2006197474.tif 000004
【図３】
2006197474.tif 000005
【図４】
2006197474.tif 000006
【図６】
2006197474.tif 000007
【図８】
2006197474.tif 000008
【図９】
2006197474.tif 000009
【図１０】
2006197474.tif 000010
【図１２】
2006197474.tif 000011
【図１４】
2006197474.tif 000012
【図５】
2006197474.tif 000013
【図７】
2006197474.tif 000014
【図１１】
2006197474.tif 000015
【図１３】
2006197474.tif 000016